(57)【特許請求の範囲】
【請求項１】
除毛装置であって、
ａ．除毛ヘッド（１４）と、
ｂ．前記カートリッジ上に位置する１つ以上の伸長縁部（１８）と、
ｃ．前記カートリッジ上に位置する皮膚係合部材と、
を含み、前記皮膚係合部材（２２）が、
ａ．ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物から選択される水溶性ポリマー、皮膚軟化剤、石鹸基剤、及びこれらの混合物の少なくとも１つを含むマトリックスと、
ｂ．以下の式
【化１】
0005997387.tif 000011
で表されるメンタンカルボン酸−Ｎ−（４−メトキシフェニル）−アミドを含む熱的弾性感覚剤と、
を含む、除毛装置。
【請求項２】
前記メンタンカルボン酸−Ｎ−（４−メトキシフェニル）−アミドが、以下の式
【化２】
0005997387.tif 000012
で表される、請求項１に記載の除毛装置。
【請求項３】
前記熱的弾性感覚剤が、以下の式
【化３】
0005997387.tif 000013
（式中、ｍは０又は１であり、Ｙ及びＺはＨ、ＯＨ、Ｃ１〜Ｃ４直鎖若しくは分枝状アルキル、又は、Ｃ１〜Ｃ４直鎖若しくは分枝状アルコキシからなる群から独立して選択され、Ｘは（ＣＨ２）ｎ−Ｒ（ここで、ｎは０又は１であり、かつＲは、ハロゲン、ＯＨ、ＯＭｅ、ＮＯ２、ＣＮ、Ａｃ、ＳＯ２ＮＨ２、ＣＨＯ、ＣＯ２Ｈ及びＣ１〜Ｃ４アルキルカルボキシレートから選択される非結合電子を含む基である）であるが、（ａ）Ｙ及びＺがＨのとき、Ｘは４位のＦ、ＯＨ、ＭｅＯ又はＮＯ２ではなく、かつ２位又は６位のＯＨではなく、（ｂ）Ｙ又はＺがＨのとき、Ｘ、Ｙ及びＺは、（ｉ）３位及び４位が同時にＯＭｅ基となることがなく、（ｉｉ）４位及び５位が同時にＯＭｅ基となることがなく、（ｉｉｉ）４位がＯＨ基の場合、３位及び５位はＯＭｅ基ではなく、かつ（ｉｖ）４位がメチル基の場合、３位及び５位はＯＨ基ではないようになる）で表されるＮ−置換メンタンカルボキサミドを更に含む、請求項１又は２に記載の除毛装置。
【請求項４】
Ｘが４位にあるか、好ましくはＸが４位にあり、かつＹ及びＺが、Ｈ、ＯＨ、Ｍｅ又はＯＭｅである、請求項３に記載の除毛装置。
【請求項５】
前記熱的弾性感覚剤が、以下の式
【化４】
0005997387.tif 000014
で表されるＮ−［４−（シアノメチル）フェニル］−（１Ｒ，２Ｓ，５Ｒ）−２−イソプロピル−５−メチルシクロヘキサンカルボキサミドを含む、請求項３又は４に記載の除毛装置。
【請求項６】
Ｌ−メントール、ｐ−メンタン−３，８−ジオール、イソプレゴール、メントキシプロパン−１，２，−ジオール、クルクミン、メンチルラクテート（Ｓｙｍｒｉｓｅ製Ｆｒｅｓｃｏｌａｔ  ＭＬ等）、ジンゲロール、イシリン、茶木油、サリチル酸メチル、樟脳、ペパーミント油、Ｎ−エチル−ｐ−メンタン−３−カルボキサミド、エチル３−（ｐ−メンタン−３−カルボキサミド）アセテート、２−イソプロピル−Ｎ，２，３−トリメチルブチルアミド、メントングリセロールケタール、メントングリセリンアセタール、及びこれらの混合物、からなる群から選択される追加の冷感剤を更に含み、好ましくは前記追加の冷感剤が、メントールとメンチルラクテートの混合物であり、更に好ましくは重量比が１：４〜４：１であるメントールとメンチルラクテートの混合物である、請求項１〜５のいずれか一項に記載の除毛装置。
【請求項７】
前記熱的弾性感覚剤の濃度が、前記皮膚係合部材の０．０１重量％〜２５重量％である、請求項１〜６のいずれか一項に記載の除毛装置。
【請求項８】
前記水溶性ポリマーが、前記マトリックスの約５０重量％〜約９０重量％の濃度で存在する、請求項１〜７のいずれか一項に記載の除毛装置。
【請求項９】
前記マトリックスが、非水溶性ポリマーを更に含み、好ましくは前記非水溶性ポリマーが、ポリエチレン、ポリプロピレン、ポリスチレン、耐衝撃性ポリスチレン、ブタジエンスチレンコポリマー、ポリアセタール、アクリロニトリル−ブタジエンスチレンコポリマー、エチレン酢酸ビニルコポリマー、及びこれらの混合物の少なくとも１つを含み、前記非水溶性ポリマーが、好ましくは前記皮膚係合部材の５重量％〜４０重量％、好ましくは１５重量％〜３５重量％の濃度で存在する、請求項１〜８のいずれか一項に記載の除毛装置。
【請求項１０】
前記カートリッジに位置する第２の皮膚係合部材を更に含み、前記第２の皮膚係合部材が、請求項１〜９のいずれか一項に記載する皮膚係合部材であるか、又は
ａ．ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物から選択される水溶性ポリマー、皮膚軟化剤、石鹸基剤、及びこれらの混合物の少なくとも１つを含むマトリックスと、
ｂ．以下の式
【化５】
0005997387.tif 000015
（式中、ｍは０又は１であり、Ｙ及びＺはＨ、ＯＨ、Ｃ１〜Ｃ４直鎖若しくは分枝状アルキル、又は、Ｃ１〜Ｃ４直鎖若しくは分枝状アルコキシからなる群から独立して選択され、Ｘは（ＣＨ２）ｎ−Ｒ（ここで、ｎは０又は１であり、かつＲは、ハロゲン、ＯＨ、ＯＭｅ、ＮＯ２、ＣＮ、Ａｃ、ＳＯ２ＮＨ２、ＣＨＯ、ＣＯ２Ｈ及びＣ１〜Ｃ４アルキルカルボキシレートから選択される非結合電子を含む基である）であるが、（ａ）Ｙ及びＺがＨのとき、Ｘは４位のＦ、ＯＨ、ＭｅＯ又はＮＯ２ではなく、かつ２位又は６位のＯＨではなく、（ｂ）Ｙ又はＺがＨのとき、Ｘ、Ｙ及びＺは、（ｉ）３位及び４位が同時にＯＭｅ基となることがなく、（ｉｉ）４位及び５位が同時にＯＭｅ基となることがなく、（ｉｉｉ）４位がＯＨ基の場合、３位及び５位はＯＭｅ基ではなく、かつ（ｉｖ）４位がメチル基の場合、３位及び５位はＯＨ基ではないようになる）で表されるＮ−置換メンタンカルボキサミドを更に含む熱的弾性感覚剤と、
を含む、請求項１に記載の除毛装置。
【請求項１１】
前記除毛装置がかみそりであり、前記除毛ヘッドがかみそりカートリッジであり、かつ前記１つ以上の伸長縁部がブレードである、請求項１又は１０に記載の除毛装置。
【請求項１２】
請求項１〜１１のいずれか一項に記載の除毛装置を作製する方法であって、
ａ．マトリックス及び熱的弾性感覚剤を用意して、１回分の供給物を形成する工程と、
ｂ．好ましくは前記供給物を約１２０℃〜約２００℃の温度に熱する工程と、
ｃ．皮膚係合部材を形成する工程と、
を含む、方法。
【請求項１３】
前記形成する工程が、前記供給物を成形して前記皮膚係合部材とすること、前記供給物を成形して前記皮膚係合部材とすること、前記供給物を射出成形して皮膚係合部材と射すること、及びこれらの組み合わせを含む群から選択される、請求項１２に記載の方法。
【発明の詳細な説明】
【背景技術】
【０００１】
剃毛中に潤滑効果を提供するためにかみそりのブレードに剃毛補助剤を使用することは、既知である。例えば、米国特許７，１２１，７５４号、同第６，２９８，５５８号、同第５，７１１，０７６号、同第５，１３４，７７５号、同第６，３０１，７８５号及び米国特許出願公開第２００９／０２２３０５７号、同第２００６／０２２５２８５号を参照のこと。剃毛補助剤内の特定の冷涼感覚剤の使用も開示された。例えば、米国特許出願公開第２００７／００７７３３１号、同第２００８／０３１１６６号、同第２００８／０３００３１４Ａ１号、米国特許第５，４５１，４０４号及び同第７，４８２，３７３号、並びに国際公開第ＷＯ２００７／０３６８１４Ａ２号を参照のこと。例えば、剃毛補助剤中に冷感剤及び／又は精油を含ませ、接触後に新鮮かつ冷たい感触を提供できることが述べられている。しかしながら、使用前に、揮発によって相当量の精油が失われる場合があることが報告されている。米国特許第５，０９５，６１９号を参照のこと。米国特許第５，７１３，１３１号では、不揮発性メントール類縁体等の不揮発性冷感剤を剃毛補助剤中に導入することによって、この潜在的問題を解決することが試みられている。メントール及びその他の有効成分を含有するその他の剃毛補助剤の例は、米国特許第５，０９５，６１９号、同第６，２９８，５５８号、同第６，９４４，９５２号、及び同第６，２９５，７３３号に開示されている。米国特許第５，６５３，９７１号（シクロデキストリンを含むメントール等、皮膚鎮静剤の包接錯体を含有する改善された剃毛補助剤複合物（又は潤滑ストリップ）を含む剃毛補助剤を開示）並びに同第５，７１３，１３１号（冷涼材１０、ＷＳ−３、ＷＳ−２３、Ｆｒｅｓｃｏｌａｔ  ＭＬ、Ｆｒｅｓｃｏｌａｔ  ＭＧＡ、及びメングリタート等の不揮発性の冷感剤を開示）も参照のこと。これらの剃毛補助剤は、使用中に冷感剤を提供することが報告されている。
【０００２】
しかし、通常スキンケアに使用される多くの成分が、従来の押出成形剃毛補助剤で簡単に使用することができない。これは、多くの剃毛補助剤が、ダイを通じて押出成形される、ないしは別の方法で約１６０℃から約１８０℃等の高温で処理されるからである。冷感剤を含む押出成形された剃毛補助剤を製剤することは、これら冷感剤の多くの沸点が典型的な剃毛補助剤押出成形温度よりも下のため、挑戦しがいがある。更に、押出成形は、剃毛補助剤の組成物を高圧にかけ、冷感剤の分解にも加えることができる。一般的に使用される冷感剤の１つは、Ｌ−メントールである。剃毛補助剤内の純成分としての本冷感剤の添加は記載されたが、冷却の影響は、使用されるＬ−メントールの濃度及び高揮発性による貯蔵寿命の不足によって制限されると信じられている。より大きな冷涼強度を持つ冷感剤が知られているが、これらはより低い蒸発温度を有する傾向にあり、従来の剃毛補助剤押出成形に使用される高温及び高圧に適しにくくする。
【０００３】
様々な冷涼技術も、化粧品及び／又は口腔ケアの製剤形態に記載されている。例えば、米国特許出願公開第２００９／０３１１２０６号及び同第２００９／０３０６１５２号（両方Ｂｅｉｅｒｄｏｒｆに寄与）、同第２００６０２７６６６７号、同第２０１０／００８６４９８号、同第２０１０／００８６４９８号、同第２０１１／００８１３０３号、並びに同第２０１１／００８２２０４号を参照のこと。しかし、全ての冷却技術が、通常の剃毛補助剤を作製する環境で処理するのに適しているわけではない。特に、いくつかの冷却技術は、非常に不安定であると信じられており、剃毛補助剤を作製する工程の途中で失われる、ないしは別の方法で有効成分が少なくなることで、使用中に感知されなくなる。このように、皮膚係合部材を制作する工程で残存しながら十分な分子活性を維持し、有意義な又は持続性のある冷涼効果をもたらすことができる技術が必要とされている。
【先行技術文献】
【特許文献】
【０００４】
【特許文献１】米国特許７，１２１，７５４号
【特許文献２】米国特許６，２９８，５５８号
【特許文献３】米国特許５，７１１，０７６号
【特許文献４】米国特許５，１３４，７７５号
【特許文献５】米国特許６，３０１，７８５号
【特許文献６】米国特許出願公開第２００９／０２２３０５７号
【特許文献７】米国特許出願公開第２００６／０２２５２８５号
【特許文献８】米国特許出願公開第２００７／００７７３３１号
【特許文献９】米国特許出願公開第２００８／０３１１６６号
【特許文献１０】米国特許出願公開第２００８／０３００３１４Ａ１号
【特許文献１１】米国特許第５，４５１，４０４号
【特許文献１２】米国特許第７，４８２，３７３号
【特許文献１３】国際公開第ＷＯ２００７／０３６８１４Ａ２号
【特許文献１４】米国特許第５，０９５，６１９号
【特許文献１５】米国特許第５，７１３，１３１号
【特許文献１６】米国特許第６，９４４，９５２号
【特許文献１７】米国特許第６，２９５，７３３号
【特許文献１８】米国特許第５，６５３，９７１号
【特許文献１９】米国特許出願公開第２００９／０３１１２０６号
【特許文献２０】米国特許出願公開第２００９／０３０６１５２号
【特許文献２１】米国特許出願公開第２００６０２７６６６７号
【特許文献２２】米国特許出願公開第２０１０／００８６４９８号
【特許文献２３】米国特許出願公開第２０１１／００８１３０３号
【特許文献２４】米国特許出願公開第２０１１／００８２２０４号
【発明の概要】
【課題を解決するための手段】
【０００５】
本発明の一態様は、皮膚係合部材、すなわち、除毛装置と共に使用しやすい、かみそり若しくは脱毛剤及び掻き取り具等に関連しており、かかる皮膚係合部材は、水溶性ポリマー、皮膚軟化剤、石鹸基材、及びそれらの混合物の少なくとも１つを含むマトリックス、並びに以下の式で表わされるメンタンカルボン酸−Ｎ−（４−メトキシフェニル）−アミドを含む少なくとも１つの熱的弾性感覚剤を含む。
【０００６】
【化１】
0005997387.tif 000002
【０００７】
熱的弾性感覚剤は、約０．０１％〜約２５％、あるいは約１％〜約２０％、あるいは約５％〜約１５％、あるいは約７％〜１３％、あるいは約１０％等、様々なレベルで含まれてもよい。
【０００８】
発明の更なる態様は、前述した皮膚係合部材を含む除毛装置に関連する。発明のその他の態様は、熱的弾性感覚剤を含む皮膚係合部材を作製する方法に関連する。
【図面の簡単な説明】
【０００９】
【図１】本発明の皮膚係合部材を含む除毛ヘッド（かみそりカートリッジ）の斜視図である。
【図２】図１の線２−２に沿った断面図である。
【図３】本発明の皮膚係合部材の第２型の側面図である。
【発明を実施するための形態】
【００１０】
Ｉ．熱的弾性感覚剤
冷涼又は冷たいという感覚は、低温又は化学冷感剤などの刺激による末梢神経繊維での受容体の活性化によるものであり、これは脳へ移動する電気化学信号を作り出し、次いで到着信号を解釈し、整理し、知覚又は感覚に統合するということは、今や広く確立されている。異なる部類の受容体が、哺乳類の知覚神経繊維において冷温又は化学冷感剤の刺激を感じることに関係していると見なされてきた。それらの受容体のうち、寒冷を感知することに関与する主要な候補は、寒冷感受性及びメントール感受性の受容体（ＣＭＲ１）又はＴＲＰＭ８であることが特定されかつ指定されている。受容体のＴＲＰＭ８という専門用語は、低温、メントール、及びその他の化学冷感剤を含む刺激により活性化される一過性受容体電位（ＴＲＰ）ファミリーの非選択的カチオンチャネルとしてのその特徴付けから来ている。しかしながら、皮膚又は口腔表面上での心地よい冷涼感の知覚に潜在する正確な機構は、現在明確には理解されていない。ＴＲＰＭ８受容体がメントール及びその他の冷感剤により活性化されることが立証されている一方で、知覚される全体的な感覚が心地よく、冷涼感があり、清涼であるために、他のどの受容体が関与している可能性があり、それらの受容体がどの程度刺激される又は場合によっては抑制される必要があるのかについては、完全には理解されていない。感覚剤は、様々な出願に記載されてきた。例えば、米国特許出願公開第２０１０／００８６４９８号を参照のこと。
【００１１】
本発明の皮膚係合部材は、少なくとも１つの熱的弾性感覚剤を含む。熱的弾性感覚剤は、従来の剃毛補助剤（皮膚係合部材）押出成形条件で残存することが可能であるが、剃毛環境での使用中皮膚上で、ユーザーが一般的に知覚可能な、冷涼感又は刺痛感を提供するために依然十分に活性であり続ける感覚剤成分として本明細書で定義される。理論に束縛されるものではないが、本発明の熱的弾性感覚剤は、揮発性があり、製作工程で失われ得る感覚剤に比べて、たとえ皮膚係合部材の中に押出成形された後でも、より大きな冷涼強度を提供することができると信じられている。いくつかの実施形態では、熱的弾性感覚剤は、液体培地内と同じ濃度、又は少なくとも７０％、又は少なくとも９０％皮膚上に塗布されたときと比べて、少なくとも５０％の冷涼強度を維持する。皮膚係合部材は、除毛剤又は剃毛補助剤も含んでよく、かかる皮膚係合部材は、除毛装置、特にかみそりカートリッジの皮膚接触部上での使用に適した潤滑ストリップとも一般的に呼ばれていることは、当業者に理解されよう。
【００１２】
更に、本発明の熱的弾性感覚剤は、Ｌ−メントールの冷涼強度を超えて、好ましくは少なくとも１．５倍大きな冷涼強度、更に好ましくは少なくとも５倍大きな冷涼強度、より一層好ましくは少なくとも１０倍大きな冷涼強度で、最高約２０倍大きな冷涼強度が皮膚係合部材に提供されたとき、より大きな冷涼強度を提供する。
【００１３】
好適な熱的弾性感覚剤は、シクロヘキサン、具体的にはメンタンカルボン酸−Ｎ−（４−メトキシフェニル）−アミドの合成誘導体を含む。少なくとも１つの感覚剤は、約０．０１％〜約２５％、あるいは約１％〜約２０％、あるいは約５％〜約１５％、あるいは約７％〜１３％、あるいは約１０％の濃度で含まれてもよい。理論に束縛されるものではないが、これらの濃度の熱的弾性感覚剤は、特に５％より上の濃度、及び１５％より下の濃度でかなりの数のユーザーに明らかな性能利益を提供すると信じられている。一部のユーザーは、より低い濃度を享受するかもしれないが、多くのユーザーは、効果が低すぎると感じるかもしれないと信じられている。同様に、何人かのユーザーは、１５％より上の高濃度を享受するかもしれないが、意図した消費者の大半にとって、それは過度かもしれない。
【００１４】
理論に束縛されるものではないが、これらの熱的弾性感覚剤の冷涼強度は、Ｌ−メントールの冷涼強度の約１．５倍であると信じられている。Ｌｅｆｆｉｎｇｗｅｌｌ，Ｊｏｈｎ  Ｃ．ＰｈＤ、Ｃｏｏｌｅｒ  ｔｈａｎ  Ｍｅｎｔｈｏｌ  ａｎｄ  Ｃｏｏｌｉｎｇ  Ｃｏｍｐｏｕｎｄｓ  ａｓ  Ｉｎｓｅｃｔ  Ｒｅｐｅｌｌｅｎｔｓ（Ｌｅｆｆｉｎｇｗｅｌｌ  ＆  Ａｓｓｏｃｉａｔｅｓ、２０１１年５月４日最終更新）を参照のこと。
【００１５】
皮膚係合部材は、任意で追加の冷感剤も備えてもよい。
ａ．メンタンカルボン酸−Ｎ−（４−メトキシフェニル）−アミド
【００１６】
熱的弾性感覚剤は、以下の式Ａ又は、好ましくは、式Ｂで表わされるメンタンカルボン酸−Ｎ−（４−メトキシフェニル）−アミドを含む。
【００１７】
【化２】
0005997387.tif 000003
【００１８】
このようなメンタンカルボン酸−Ｎ−（４−メトキシフェニル）−アミドの非限定的な例は、米国特許出願公開第２０１１／００８１３０３、及び同第２０１０／００８６４９８に開示されている。この材料はＣＡＳ＃６８４８９−０９−８の下でも開示されており、Ｒ＊，２Ｓ＊）−Ｎ−（４−メトキシフェニル）−５−メチル−２−（１−メチルエチル）シクロヘキサンカルボキサミドと名称されてもよく、Ｓｙｍｒｉｓｅ，Ｉｎｃ．によるＳＣ１、ＷＳ−１２又はＦｒｅｓｃｏｌａｔ  ＭＭＣとして市販されている。
【００１９】
ｂ．Ｎ−置換メンタンカルボキサミド
いくつかの好ましい実施形態では、熱的弾性感覚剤は、特に以下の式Ｉで表わされるＮ−置換メンタンカルボキサミドも含む。
【００２０】
【化３】
0005997387.tif 000004
（式中、ｍは０又は１であり、Ｙ及びＺはＨ、ＯＨ、Ｃ１〜Ｃ４直鎖若しくは分枝状アルキル、又は、Ｃ１〜Ｃ４直鎖若しくは分枝状アルコキシからなる群から独立して選択され、Ｘは（ＣＨ２）ｎ−Ｒ（ここで、ｎは０又は１であり、かつＲは非結合電子を含む基である）であるが、（ａ）Ｙ及びＺがＨのとき、Ｘは４位のＦ、ＯＨ、ＭｅＯ又はＮＯ２ではなく、かつ２位又は６位のＯＨではなく、（ｂ）Ｙ又はＺがＨのとき、Ｘ，Ｙ及びＺは、（ｉ）３位及び４位が同時にＯＭｅ基となることがなく、（ｉｉ）４位及び５位が同時にＯＭｅ基となることがなく、（ｉｉｉ）４位がＯＨ基の場合、３位及び５位はＯＭｅ基ではなく、かつ（ｉｖ）４位がメチル基の場合、３位及び５位はＯＨ基ではないようになる）。
【００２１】
好ましい化合物は、Ｘが４位内にあるものである。最も好ましい化合物は、Ｘが４位内にあり、Ｙ及びＺがＨ、ＯＨ、Ｍｅ、又はＯＭｅのときである。
【００２２】
結合電子を含む好ましい群は、ハロゲン、ＯＨ、ＯＭｅ、ＮＯ２、ＣＮ、Ａｃ、ＳＯ２ＮＨ２、ＣＨＯ、ＣＯ２Ｈ及びＣＯ２Ｅｔ等のＣ１〜Ｃ４アルキルカルボキシレートである。
【００２３】
好適なＮ−置換メンタンカルボキサミドの具体的な例は、式ＩＩのＮ−［４−（シアノメチル）フェニル］−（１Ｒ，２Ｒ，５Ｒ）−２−イソプロピル−５メチルシクロヘキサンカルボキサミドである。
【００２４】
【化４】
0005997387.tif 000005
【００２５】
この材料は、Ｎ−パラ−ベンゼンアセトニトリルメンタンカルボキサミドとしても一般的に参照される。例えば、Ｒｅｓｅａｒｃｈ  Ｄｉｓｃｌｏｓｕｒｅ  ＲＤ  ５２２００３（ジボダン）、米国特許出願公開第２００９／０３１１２０６号及び同第２００９／０３０６１５２号（両方Ｂｅｉｅｒｓｄｏｒｆに寄与）、同第２００６／０２７６６６７号、同第２０１０／００８６４９８号、及び米国特許第７，４１４，１５２を参照のこと。Ｎ−パラ−ベンゼンアセトニトリルメンタンカルボキサミドを製作する様々な方法が開示されており、これらは米国特許出願公開第２００６／０２７６６７号、同第２００８／０３００３１４号、同第２０１０／００４０５６３号及び同第２０１０／００７６０８０に含まれる。Ｎ−パラ−ベンゼンアセトニトリルメンタンカルボキサミドは、ＣＡＳ  ８５２３７９−２８−３の下業者から市販されており、９４％〜１００％のアッセイ及び１０１ｋＰａ（７６０ｍｍ  Ｈｇ）で１４５℃の融点を伴う白い粉末として供給されてもよい。
【００２６】
これらの好ましい実施形態では、皮膚係合部材は、Ｎ−置換メンタンカルボキサミド及びメンタンカルボン酸−Ｎ−（４−メトキシフェニル）−アミドの混合物である熱的弾性感覚剤を１つ以上含み、改善された冷涼感、例えばより良い即効的で持続する冷却並びに全体的に優れた冷却を提供すると信じられている。これら２つの冷感剤は、Ｎ−置換メンタンカルボキサミド対メンタンカルボン酸−Ｎ−（４−メトキシフェニル）−アミドが約２５：１〜約１：２５、あるいは約１０：１〜約１：１０、あるいは約３：１〜約１：３の割合で化合してもよい。
【００２７】
理論に束縛されることなく、Ｎ−置換メンタンカルボキサミドは、ＴＲＰＭ８及びＴＲＰＡ１（ヒリヒリする／しびれる／火照る）受容体の両方を誘発し、一方でメンタンカルボン酸−Ｎ−（４−メトキシフェニル）−アミドは、冷却受容体ＴＲＰＭ８のみを誘発し、並びにＬ−メントールは、ＴＲＰＭ８、ＴＲＰＡ１及び加温受容体ＴＲＰＶ１  ＆  ＴＲＰＶ３を誘発すると信じられている。それゆえ、上述したシクロヘキサンの合成誘導体の１つ又は両方を含むシステムは、追加の感覚剤を含有するオプションを伴い、剃毛時の及び持続性のある冷涼効果を得ることを可能にすると信じられている。
【００２８】
ｃ．追加の感覚剤
いくつかの実施形態では、皮膚係合部材は、上記で開示された熱的弾性感覚剤以外の１つ以上の追加の感覚剤を更に含む。例えば、メントールは冷感剤として広く使用されているが、メントールは、刺痛感、灼熱感、穿痛感、及び刺すような感覚、並びにミントの匂い及び苦い味を含むその他の感覚も生じさせ得る。従って、メントールは、寒冷、温熱、痛み及び味覚受容体を含む多くの異なる受容体に作用することが推測される。しかしながら、苦味又は刺激等の望ましくない感覚のない心地よい冷涼感等の特定の感覚をどの受容体活性がもたらすかの分離方法は容易には識別できない。特定の感覚剤の使用から望ましい感覚だけが引き出されるように冷感剤又はその他の感覚剤の活性をどのように制御するかも明らかではない。このようにして、本発明は、除毛工程の間にユーザーに対して冷涼効果を提供するための感覚剤として機能する、シクロヘキサン（上述）の特定の合成誘導体の追加に注目する。冷涼感を更に補うために、追加の感覚剤を使用することができる。
【００２９】
天然起源又は合成起源の多数の冷感剤化合物が知られている。最もよく知られる化合物は、メントール、特にｌ−メントールであり、ペパーミント油、とりわけハッカＬ及びミドリハッカＬで自然に見出される。メントールの異性体のうち、ｌ−異性体が最も広く自然に存在し、通常は冷却特性を有するメントールという名称で呼ばれるものである。Ｌ−メントールは独特のペパーミントの香りを有し、かつ清潔でさわやかな味を有し、皮膚及び粘膜表面に塗布された際に冷涼感を与える。メントールのその他の異性体（ネオメントール、イソメントール、及びネオイソメントール）は、ある程度類似しているが同一ではない香り及び味を有する（すなわち、いくらかは、土のような、樟脳、かび臭いとして表される、好ましくない雰囲気を有する）。異性体の中で最大の違いは、その冷涼効力である。Ｌ−メントールは、最も効能のある冷涼感を提供すること、すなわち約８００ｐｐｂの最も低い冷涼閾値（すなわち、冷涼効果が明確に認識され得る場合の濃度）を有することが報告されている。この濃度において、他の異性体では冷涼効果がない。例えば、ｄ−ネオメントールは、約２５，０００ｐｐｂ、及びｌ−ネオメントールは、約３，０００ｐｐｂの冷涼閾値を有すると報告されている。［Ｒ．Ｅｍｂｅｒｇｅｒ  ａｎｄ  Ｒ．Ｈｏｐｐ，「Ｓｙｎｔｈｅｓｉｓ  ａｎｄ  Ｓｅｎｓｏｒｙ  Ｃｈａｒａｃｔｅｒｉｚａｔｉｏｎ  ｏｆ  Ｍｅｎｔｈｏｌ  Ｅｎａｎｔｉｏｍｅｒｓ  ａｎｄ  Ｔｈｅｉｒ  Ｄｅｒｉｖａｔｉｖｅｓ  ｆｏｒ  ｔｈｅ  Ｕｓｅ  ｉｎ  Ｎａｔｕｒｅ  Ｉｄｅｎｔｉｃａｌ  Ｐｅｐｐｅｒｍｉｎｔ  Ｏｉｌｓ，」Ｓｐｅｃｉａｌｔｙ  Ｃｈｅｍｉｃａｌｓ（１９８７），７（３），１９３〜２０１］。この研究は、冷涼及び新鮮さ並びにこれらの分子の活性に対する立体化学の影響の観点からＩ−メントールの優れた知覚特性を実証した。
【００３０】
合成冷感剤のうち、多くは、メントールの誘導体であるか、又はメントールと構造的に関連する。すなわち、シクロヘキサン部分を含有し、カルボキサミド、ケタール、エステル、エーテル及びアルコールを含む官能基で誘導体化される。例には、「ＷＳ−３」として商用的に既知のＮ−エチル−ρ−メンタン−３−カルボキサミド等のρ−メンタンカルボキサミド化合物、並びにＷＳ−５（Ｎ−エトキシカルボニルメチル−ρ−メンタン−３−カルボキサミド）、及びＷＳ−１４（Ｎ−ｔｅｒｔ−ブチル−ρ−メンタン−３−カルボキサミド）等の系列内の他のものが挙げられる。メンタンカルボキシエステルの例には、ＷＳ−４及びＷＳ−３０が挙げられる。メントールと構造的に無関係の合成カルボキサミド冷感剤の例は、「ＷＳ−２３」として既知のＮ，２，３−トリメチル−２−イソプロピルブタナミドである。合成冷感剤の追加の例には、全てＴａｋａｓａｇｏから入手可能なＴＫ−１０として既知の３−（１−メントキシ）−プロパン−１，２−ジオール、イソプレゴール（商標名Ｃｏｏｌａｃｔ  Ｐ）、及びρ−メンタン−３，８−ジオール（商標名Ｃｏｏｌａｃｔ  ３８Ｄ）等のアルコール誘導体、ＭＧＡとして既知のメントングリセロールアセタール、メンチルアセテート、メンチルアセトアセテート、Ｈａａｒｍａｎｎ  ａｎｄ  Ｒｅｉｍｅｒによって供給されるＦｒｅｓｃｏｌａｔ（登録商標）として既知のメンチルラクテート、及びＶ．Ｍａｎｅからの商標名Ｐｈｙｓｃｏｏｌのモノメンチルスクシネート等のメンチルエステルが挙げられる。ＴＫ−１０は、Ａｍａｎｏらの米国特許第４，４５９，４２５号に記載されている。メントールの他のアルコール及びエーテル誘導体は、例えば、第ＧＢ  １，３１５，６２６号及び米国特許第４，０２９，７５９号、同第５，６０８，１１９号、及び同第６，９５６，１３９号に記載されている。ＷＳ−３及び他のカルボキサミド冷感剤は、例えば、米国特許第４，１３６，１６３号、第４，１５０，０５２号、第４，１５３，６７９号、第４，１５７，３８４号、第４，１７８，４５９号及び第４，２３０，６８８号に記載されている。追加のＮ−置換ρ−メンタンカルボキサミドは、国際公開第ＷＯ  ２００５／０４９５５３Ａ１号に記載されており、Ｎ−（４−シアノメチルフェニル）−ρ−メンタンカルボキサミド、Ｎ−（４−スルファモイルフェニル）−ρ−メンタンカルボキサミド、Ｎ−（４−シアノフェニル）ｐ−メンタンカルボキサミド、Ｎ−（４−アセチルフェニル）−ρ−メンタンカルボキサミド、Ｎ−（４−ヒドロキシメチルフェニル）−ρ−メンタンカルボキサミド、及びＮ−（３−ヒドロキシ−４−メトキシフェニル）−ρ−メンタンカルボキサミドが挙げられる。他のＮ−置換ρ−メンタンカルボキサミドには、Ｎ−（（５−メチル−２−（１−メチルエチル）シクロヘキシル）カルボニル）グリシンエチルエステル及びＮ−（（５−メチル−２−（１−メチルエチル）シクロヘキシル）カルボニル）アラニンエチルエステル等の国際公開第ＷＯ  ２００６／１０３４０１号、並びに米国特許第４，１３６，１６３号、同第４，１７８，４５９号、及び同第７，１８９，７６０号に開示されるもの等のアミノ酸誘導体が挙げられる。グリシン及���アラニン等のアミノ酸を含むメンチルエステルは、例えば、第ＥＰ  ３１０，２９９号、並びに米国特許第３，１１１，１２７号、同第３，９１７，６１３号、同第３，９９１，１７８号、同第５，７０３，１２３号、同第５，７２５，８６５号、同第５，８４３，４６６号、同第６，３６５，２１５号、同第６，４５１，８４４号、及び同第６，８８４，９０３号に開示されている。ケタール誘導体は、例えば、米国特許第５，２６６，５９２号、同第５，９７７，１６６号、及び同第５，４５１，４０４号に記載されている。メントールに構造的には関連していないが、同様の生理学的冷涼効果を有すると報告されている追加の作用剤には、３−メチル−２−（１−ピロリジニル）−２−シクロペンテン−１−オン（３−ＭＰＣ）、５−メチル−２−（１−ピロリジニル）−２−シクロペンテン−１−オン（５−ＭＰＣ）、及び２，５−ジメチル−４−（１−ピロリジニル）−３（２Ｈ）−フラノン（ＤＭＰＦ）を含む、米国特許第６，５９２，８８４号に記載されるα−ケトエナミン誘導体、ＷｅｉらのＪ．Ｐｈａｒｍ．Ｐｈａｒｍａｃｏｌ．（１９８３），３５：１１０〜１１２に記載されるイシリン（ＡＧ−３−５、化学名１−［２−ヒドロキシフェニル］−４−［２−ニトロフェニル］−１，２，３，６−テトラヒドロピリミジン−２−オンとしても既知）が挙げられる。メントールの冷感剤活性及び合成冷感剤に関する概説には、Ｈ．Ｒ．ＷａｔｓｏｎらのＪ．Ｓｏｃ．Ｃｏｓｍｅｔ．Ｃｈｅｍ．（１９７８），２９，１８５〜２００及びＲ．Ｅｃｃｌｅｓ，Ｊ．Ｐｈａｒｍ．Ｐｈａｒｍａｃｏｌ．，（１９９４），４６，６１８〜６３０が挙げられる。
【００３１】
ＩＩ．マトリックス材料
皮膚係合部材は、熱的弾性感覚剤が存在する範囲内でマトリックス材料を更に含む。マトリックス材料は、様々な形であることができ、それらの混合物／組み合わせでもよい。
【００３２】
ａ．固体ポリマーマトリックス
いくつかの実施形態では、マトリックスは、水溶性ポリマー、例えばポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物を含む。いくつかの実施形態では、かかる水溶性ポリマーは、ポリエチレンオキシド、ポリエチレングリコール、及びこれらの混合物からなる群から選択される。
【００３３】
いくつかの実施形態では、皮膚係合部材は、Ｇｉｌｌｅｔｔｅ、Ｓｃｈｉｃｋ又はＢＩＣによるかみそりカートリッジに使用されているような、市販の皮膚係合部材に一般的に見られる他の任意の成分を含む。かかる皮膚係合部材の非限定的な例としては、米国第６３０１７８５号、同第６４４２８３９号、同第６２９８５５８号、同第６３０２７８５号及び米国特許出願公開２００８／０６０２０１号、及び同第２００９／０２２３０５７号で開示されたものが挙げられる。いくつかの実施形態では、皮膚係合部材は更に、ポリエチレンオキシド、ポリビニルピロリドン、ポリアクリルアミド、ヒドロキシプロピルセルロース、ポリビニルイミダゾリン、ポリエチレングリコール、ポリビニルアルコール、ポリヒドロキシエチルメタクリレート、シリコーンコポリマー、スクロースステアレート、ビタミンＥ、石鹸、界面活性剤、パンテノール、アロエ、ポリエチレングリコール等の可塑剤；髭柔軟剤；シリコーンオイル、Ｔｅｆｌｏｎ（登録商標）ポリテトラフルオロエチレン粉末（ＤｕＰｏｎｔ製）、及びワックス等の追加の潤滑剤；メントール、樟脳、オイゲノール、ユーカリプトール、サフロール、及びメチルサリシレート等の精油；Ｈｅｒｃｕｌｅｓ  Ｒｅｇａｌｒｅｚ  １０９４及び１１２６等の粘着付与剤；不揮発性冷感剤、皮膚鎮静剤のシクロデキストリンとの包接錯体；芳香剤；抗掻痒／反対刺激物質；レゾルシノール等の抗菌／角質溶解物質；キャンデリラ（Candilla）ワックス及びグリシルレチン酸等の抗炎症剤；硫酸亜鉛等の収斂剤；ｐｌｕｒｏｎｉｃ及びｉｃｏｎｏｌ材料等の界面活性剤；スチレン−ｂ−ＥＯコポリマー等の相溶剤；鉱物油、ポリカプロラクトン（ＰＣＬ）、並びにこれらの組み合わせからなる群から選択される皮膚係合部材成分を含む。
【００３４】
水溶性ポリマーは、好ましくは、少なくとも５０重量％、更に好ましくは少なくとも６０重量％の皮膚係合部材を含み、最大約９９％、又は最大約９０％のマトリックスを含むであろう。より好ましい水溶性ポリマーは、ＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ、京都、日本から入手可能）として一般的に既知のポリエチレンオキシドである。これらのポリエチレンオキシドは、好ましくは統一された原子質量単位、ダルトン、又は約１００，０００から６百万のｇ／ｍｏｌ（分子量）、最も好ましくは約３００，０００から５百万の分子量を有するであろう。最も好ましいポリエチレンオキシドは、約５百万（例えば、ＰＯＬＹＯＸ  ＣＯＡＧＵＬＡＮＴ）の平均分子量を有する、約４０％〜８０％のポリエチレンオキシド及び約３００，０００（例えば、ＰＯＬＹＯＸ  ＷＳＲ−Ｎ−７５０）の平均分子量を有する、約６０％〜２０％のポリエチレンオキシドの配合物を含む。またポリエチレンオキシド配合物は、最大約１０重量％の低分子量（すなわち、ＭＷ＜１０，０００）ポリエチレングリコール、例えばＰＥＧ−１００も有利に含有してもよい。
【００３５】
いくつかの実施形態では、マトリックスは更に、約０．５％〜約５０％、好ましくは約１％〜約２０％のポリカプロラクトン（好ましくは分子量が３０，０００〜６０，０００ダルトン）を含む。米国特許第６，３０２，７８５号を参照のこと。
【００３６】
他の実施形態では、皮膚係合部材は、ポリエチレングリコール（ＭＷ＜１０，０００、例えば、ＰＥＧ−１００の１〜１０重量％）等の低分子量水溶性放出促進剤、架橋ポリアクリル（例えば、２〜７重量％）等の水膨張性放出促進剤、着色剤、酸化防止剤、防腐剤、ビタミンＥ、アロエ、冷感剤、精油、髭軟化剤、収斂剤、薬剤等の他の従来の皮膚係合部材成分を含有してもよい。着色剤を含有する部分を、着色剤を（例えば、浸出又は摩耗によって）放出するように設計し、それによって剃毛中に、好ましくは色付きの部分が摩耗するとストリップが変色するようにすることで、皮膚係合部材及び／又はかみそりカートリッジが有効耐用期間又は最適性能の限界に達したことの指標を使用者に提供する。その部分は、例えば、約０．１重量％〜約５．０重量％（好ましくは約０．５重量％〜３重量％）の間の着色剤を含有してもよい。
【００３７】
マトリックスは更に、水溶性ポリマーが分散される非水溶性ポリマーを含んでよい。好ましくは、皮膚係合部材の約０重量％〜約５０重量％、より好ましくは約５重量％〜約４０重量％、最も好ましくは約１５重量％〜約３５重量％の濃度で非水溶性ポリマーを含む。使用され得る好適な非水溶性ポリマーには、ポリエチレン（ＰＥ）、ポリプロピレン、ポリスチレン（ＰＳ）、ブタジエン−スチレンコポリマー（例えば、中及び高耐衝撃性ポリスチレン）、ポリアセタール、アクリロニトリル−ブタジエン−スチレンコポリマー、エチレン酢酸ビニルコポリマー、ポリウレタン、並びにこれらの配合物、例えば、ポリプロピレン／ポリスチレンの配合物、又はポリスチレン／耐衝撃性ポリスチレンの配合物が挙げられる。
【００３８】
１つの好ましい非水溶性ポリマーは、ポリスチレン、好ましくはＮＯＶＡ  Ｃ２３４５Ａ等の汎用ポリスチレン、又はＢＡＳＦ  ４９５Ｆ  ＫＧ２１等の耐衝撃性ポリスチレン（すなわち、ポリスチレン−ブタジエン）である。ストリップ又はいずれかの部分は、生産中及び使用中の双方において、適正な機械的強度をもたらすために、十分な量で非水溶性ポリマーを含有する必要がある。
【００３９】
ｂ．皮膚軟化剤
他の実施形態において、マトリックス材料は、少なくとも１つの皮膚軟化剤を含む。いくつかの実施形態では、皮膚軟化剤には疎水性がある。所定の実施形態において、組成物は、本質的に１つ以上の皮膚軟化剤から構成されてもよく、２５℃で流体を形成し得る。皮膚軟化剤が流体形態の場合、流体は好ましくは以下に開示するように皮膚係合リザーバ内に含有される。そのような実施形態では、組成物粘度に応じて、様々な開口部のサイズは、使用中に皮膚軟化剤の投与を制御するために使用されてもよい。
【００４０】
皮膚軟化剤は、室温で液体、半固体及び／又は個体である。皮膚軟化剤は、１つ以上の炭化水素皮膚軟化剤、脂質、親油性のスキンケア剤、又はそれらの混合物を含んでもよい。好適な脂質としては、脂肪酸、脂肪族アルコール、エステル、トリグリセリド、脂肪、バター、及びワックス等の脂肪族アシル、グリセロ脂質、グリセロリン脂質、スフィンゴ脂質、ステロール脂質、プレノール脂質、サッカロ脂質、ポリケチド、親油性皮膚有効成分の皮膚軟化剤、及びこれらの混合物が挙げられる。
【００４１】
炭化水素皮膚軟化剤は、直鎖、分枝鎖、飽和及び不飽和炭化水素、並びにこれらの混合物を含み、自然又は合成炭化水素の皮膚軟化剤及びこれらの混合物を含む。好ましい自然炭化水素皮膚軟化剤としては、ペトロラタム、鉱油及びこれらの混合物が挙げられる。好ましい合成炭化水素皮膚軟化剤は、イソヘキサデカン（Ｃｒｏｄａ製Ａｒｌａｍｏｌ  ＨＤ（商標）等）及びポリデセン（Ｅｘｘｏｎ  Ｍｏｂｉｌ製Ｐｕｒｅｓｙｎ  ２（商標）等）等の分岐鎖炭化水素が挙げられる。
【００４２】
脂肪族アルコール又は脂肪酸皮膚軟化剤としては、飽和及び不飽和高級アルコール、特にＣ１２〜Ｃ３０脂肪族アルコール又は脂肪酸、特にラウリン酸、ミリスチン、パルミチン、ステアリン、アラキジン酸又はベヘンが挙げられる。エステル皮膚軟化剤としては、Ｃ１２〜Ｃ３０アルコールのエステル及びこれらの混合物、特にミリスチン酸イソプロピル、イソステアリン酸イソプロピル及びこれらの混合物が挙げられる。トリグリセリド皮膚軟化剤としては、合成又は自然トリグリセリド、特にヒマワリ、アボカド、オリーブ、ビーバー香、ココナツ、ココア及びこれらの混合物由来の自然トリグリセリドが挙げられる。更に好ましくは、市販されている材料Ｍｙｒｉｔｏｌ（商標）３１２及び３１８（Ｃｏｇｎｉｓ）、Ｅｓｔａｓａｎ（商標）（Ｃｒｏｄａ）及びＭｉｇｌｙｏｌ（商標）（Ｓａｓｏｌ）等の、ココナッツ由来のトリグリセリドである。脂肪及びバター皮膚軟化剤としては、ココナツバター、シアバター及びこれらの混合物が挙げられる。ワックス皮膚軟化剤としては、石蝋、微結晶ろう、キャンデリア、オゾケライト及びこれらの混合物が挙げられる。好ましくは、皮膚軟化剤は石蝋を含む。有利なことに、ろうは、固体保湿組成分に更に改善された硬度及び浸食性を与えることができるので、疎水性相は、いくつかのろうを含む。好ましくは、浸食性固体保湿組成物は、約２重量％〜約２０重量％及びより好ましくは約３重量％〜約１５重量％の浸食性固体保湿組成物のろうを含有する。
【００４３】
好適な脂質の別の群には、酢酸ビタミンＥ及びニコチン酸トコフェロールを含む油溶性ビタミン（例えば、ビタミンＥ誘導体）、油溶性ビタミンＡ誘導体（例えば、パルミチン酸レチニル、ラノリン、セラミド、ステロール及びステロールエステル、サリチル酸、カンファー、ユーカリプトール、及び精油）を含む、親油性皮膚有効成分の皮膚軟化剤が挙げられる。
【００４４】
いくつかの実施形態では、マトリックス材料は、少なくとも１つの皮膚軟化剤及び非水溶性構造化ポリマーを含む。このような組成物の例は、「浸食性保湿剤を含む除毛装置」という表題の同時係属米国特許出願第１３／０２６５５５６号、及び「浸食性保湿剤を含む除毛装置」という表題の同第１３／０２６５７５号（Ｓｔｅｐｈｅｎｓらの両方が２０１０年２月１８日に申請）で説明されている浸食性個体保湿組成物として説明されてきた。
【００４５】
本明細書で使用される、用語「固体」とは、浸食性固体保湿組成物に関連して使用されるとき、２５℃で固体の組成物を指す。本明細書で使用される、用語「非水溶性」は、構造化ポリマーに関して使用されるとき、３１／ＮＦ  ２６  Ｖｏｌ．２  Ｇｅｎｅｒａｌ  Ｎｏｔｉｃｅｓ，１７ページの米国薬局方（ＵＳＰ）定義によると、「極めてわずかに水溶性」を意味し、又は「極めてわずかに水溶性」未満は、ＵＳＰ定義を使用すると、１０００部の溶媒（この場合、水）が標準温度及び標準気圧で１部の溶質（この場合、構造化ポリマー）を溶解するために必要とされることを意味する。本明細書に使用される、用語「可溶性」は、非水溶性構造化ポリマーの性能を説明するとき、３１／ＮＦ  ２６  Ｖｏｌ．２  Ｇｅｎｅｒａｌ  Ｎｏｔｉｃｅｓ，１７ページの米国薬局方定義によると、疎水性相で溶解することは、「可溶性」を意味し、又は少なくとも「可溶性」は、ＵＳＰ定義を使用すると、３０部以下の溶媒（この場合、疎水性相）が非水溶性構造化ポリマーの融点で１部の溶媒（この場合、構造化ポリマー）を溶解するために必要とされることを意味する。
【００４６】
いくつかの実施形態では、皮膚軟化剤を含むマトリックスは浸食性固体保湿組成物で、２５℃で約０．５０ｋｇ〜約３，２５ｋｇ、好ましくは約０．７５ｋｇ〜約３．００ｋｇ、より好ましくは約１．００ｋｇ〜約２．５０ｋｇのＣｈａｔｉｌｌｏｎ高度を有し、以下提供される実験計画書に従って測定された。そのようなＣｈａｔｉｌｌｏｎ硬度を有する皮膚コンディショニング組成物が摩耗の有益な割合を提供することが信じられている。Ｃｈａｔｉｌｌｏｎ硬度試験は、米国特許出願第１３／０２６５５６号に開示されている。
【００４７】
非水溶性構造化ポリマーが浸食性固体保湿組成物内に含まれるとき、非水溶性構造化ポリマーは、浸食性固体保湿組成物に適当な摩耗特性を与える任意の非水溶性構造化ポリマーであってよく、好ましくは、浸食性固体保湿組成物に上記で定義した範囲のＣｈａｔｉｌｌｏｎ硬度を与え得る非水溶性構造化ポリマーである。構造ポリマーは、疎水性相における混和性又は可溶性を支援するために非水溶性であり（非水溶性構造ポリマーの融点で）、順にポリマー全体の疎水性相の均一分布を確実にしてもよく、したがってより均等な摩耗特性を確実にしてもよい。更に、ポリマーの水溶性特質は、湿式剃毛等の水を使用する除毛工程の間に可溶化し、洗い流してもよい、より親水性のあるポリマーに対してポリマーの耐久性を向上させてもよい（したがって、やはり浸食性固体保湿組成物である）。
【００４８】
いくつかの実施形態では、浸食性固体保湿組成物は、約２重量％〜約５０重量％、好ましくは約３重量％〜約４０重量％、更に好ましくは約４重量％〜約１２重量％の浸食性個体保湿組成物の非水溶性構造化ポリマーを含む。いくつかの実施形態では、非水溶性構造化ポリマーは、ブロックコポリマーを含む。より有利に、ブロックコポリマーは、ジブロックコポリマー、トリブロックコポリマー、マルチブロックコポリマー、放射状ブロックコポリマー、ランダムブロックコポリマー、又はこれらのポリマーの混合物を含む。更により有利に、ブロックコポリマーは、トリブロックコポリマーを含む。
【００４９】
マトリックス材料が固体ポリマーマトリックスを含む場合、１つ以上の皮膚軟化剤も固体ポリマーマトリックスに含まれてもよい。
【００５０】
ｃ．石鹸基剤
マトリックス材料は、石鹸基剤、すなわち、少なくとも１つの石鹸又は断続性の石鹸、例えば、流入石鹸基剤又は押出成形石鹸基剤を含んでもよい。石鹸基剤の基本的な構成要素は、基剤を形成する鹸化若しくは中和された植物油又は獣脂であってもよく、あるいは合成流入石鹸基剤であってもよい。また、ココナツ酸又は他の脂肪酸の過脂肪材料含有部分（例えば、約２５重量％を超える）が使用されてもよい。いくつかの実施形態では、マトリックス材料は、鹸化若しくは中和された植物油又は獣脂等、又は前述の材料の組み合わせを含む、基材を含む。植物油若しくは獣脂の鹸化又は中和は、基剤を形成する脂肪酸のグリセロール及び塩の生成をもたらす。マトリックスは、約５０重量％〜約１００重量％の鹸化又は中和された基材（例えば、約７５重量％〜約１００重量％鹸化又は中和された基材）を含むことができ、不透明、半透明、又は透明であってよい。生成され得る例示的な脂肪酸の塩には、最大で約２２個の炭素原子を有する、カルボン酸ナトリウム塩が挙げられる。
【００５１】
石鹸基剤は、合成石鹸基剤であってもよい。特定の実施形態には、合成石鹸基剤は、グリコール（例えば、ジプロピレングリコール、プロピレングリコール、トリプロピレングリコール、及び／又はメチルプロパンジオールグリコール）、グリセリン、脂肪酸塩（例えば、ステアリン酸ナトリウム及び／又はステアリン酸カリウム）、Ｃ１５〜Ｃ２５アルコール（例えば、ベヘニルアルコール、ステアリルアルコール、セチルアルコール、及び／又はミリスチンアルコール）、ステアレス（例えば、Ｂｒｉｊ（登録商標）−７２１等のステアレス２１等）、ステアリン酸、微結晶ろう（例えば、微結晶ろうＳＰ  １６、ＳＰ  １９、ＳＰ  １６、ＳＰ  １８、ＳＰ−１６７４、ＳＰ  １６Ｗ、ＳＰ  ６０Ｗ、ＳＰ  ８９、Ｍｕｌｔｉｗａｘ  １８０Ｍ、Ｘ−１４５、Ｗ−４４５、及び／又はＷ−８３５）、１つ以上の界面活性剤（例えば、Ｔｅｇｏｂｅｔａｉｎｅ  Ｆ−５０、Ｌｏｎｚａｉｎｅ（登録商標）、Ｍａｃｋａｍ（登録商標）群の界面活性剤、Ｍｉｒａｔａｉｎｅ（登録商標）群の界面活性剤）、並びにラウリルエーテル硫酸ナトリウム（「ＳＬＥＳ」）（例えば、２５％活性ＳＬＥＳ）が挙げられる。
【００５２】
特定の実施形態では、石鹸基剤は、全て石鹸基剤の、約０．５重量％〜約３０重量％のグリコール（例えば、約１０重量％〜約２５重量％のグリコール又は約１２重量％〜約１５重量％のグリコール）、約１０重量％〜約４０重量％のグリセリン（例えば、約１８重量％〜約３４重量％のグリセリン又は約１８重量％〜約２４重量％のグリセリン）、約２０重量％〜約４０重量％の脂肪酸塩（例えば、約２５重量％〜約４０重量％の脂肪酸塩（例えば、ステアレート）又は約３０重量％〜約３５重量％の脂肪酸塩）、約０．１重量％〜約１０重量％のステアリン酸（例えば、約２重量％〜約５重量％のステアリン酸）、約０．５重量％〜約１０重量％の微結晶ろう（例えば、約０．５重量％〜約５重量％の微結晶ろう又は約１重量％〜約３重量％の微結晶ろう）、約１重量％〜約１５重量％のベタイン（例えば、約２重量％〜約１０重量％の活性ベタイン又は約４重量％〜約９重量％の活性ベタイン）、及び約１重量％〜約２０重量％の活性ＳＬＥＳ（例えば、約１重量％〜約２０重量％の活性ＳＬＥＳ又は約１０重量％〜約１５重量％の活性ＳＬＥＳ）を含むことができる。熱的弾性感覚剤の添加前の１つの例示的な流入石鹸基剤は、以下を含む。
【００５３】
【表１】
0005997387.tif 000006
【００５４】
幾つかの実施形態では、基剤及び合成界面活性剤の組み合わせを採用することができる。
【００５５】
ｄ．担体
いくつかの実施形態では、皮膚係合部材は、担体を更に含み、マトリックス、感覚剤及び他の任意の材料は、担体内及び／又は担体上に含有されてもよい。担体は、マトリックス材料及び封入状有効成分が適用されるトレーの形状であってよく、又は担体は、マトリックス及び封入された材料を少なくとも部分的に含有する保持構造を形成してよい。いくつかの実施形態では、担体は、例えば担体及び皮膚間に直接接触して又はせずに皮膚へ剃毛補助剤が投与されるリザーバ、及び米国特許第６，２９８，５５８号及び同第７，５８１，３１８号で開示されたシース等を形成する。特に、マトリックス材料が、汎用的であるが、流体形態中に皮膚軟化剤を含む場合、担体は、好ましくは皮膚係合部材の１つ以上の材料の投与を管理するための１つ以上の投与開口部を有するシースである。皮膚係合部材の構成に関するとき、本明細書で定義される重量パーセントは、特に定めがない限り、担体ではなく本明細書で開示される皮膚係合部材の他の構成要素に基づいて決定される。
【００５６】
ｅ．マトリックス中の追加の有効成分
ｉ．任意の冷感剤
マトリックス材料は、未封入の不揮発性冷涼剤又は皮膚鎮静剤のシクロデキストリンとの包接錯体を、好ましくは皮膚係合部材の最大約２５重量％、最も好ましくは約１０重量％〜約２０重量％の量で更に含んでもよい。本明細書で用いるとき「未封入」とは、追加の有効成分が封入体の外側に存在し、マトリックス材料の残部内に分散されていることを意味する。不揮発性冷感剤は、皮膚への生理学的冷涼効果を有し、メントールより揮発性がかなり低い作用剤を意味する。好ましくは、不揮発性冷感剤は、熱重量分析（例えば、Ｄｕｐｏｎｔの９５１  Ｔｈｅｒｍｏｇｒａｖｉｍｅｔｒｉｃ  Ａｎａｌｙｚｅｒを１分あたり２０℃の温度上昇で使用）にかけると、１６０℃の温度において初期重量の少なくとも約５０％、更に好ましくは１６０℃の温度において初期重量の少なくとも約８０％、最も好ましくは１７５℃の温度において初期重量の少なくとも約５０％を保持するものである。
【００５７】
利用できる好適な冷感剤には、不揮発性メントール類縁体、例えばメンチルラクテート、メンチルエトキシアセテート、メントングリセリンアセタール、３−１メントキシプロパン−１，２−ジオール、エチル１−メンチルカーボネート、（ＩＳ，３Ｓ，４Ｒ）−ｐ−メンタ−８−エン−３−オル、メンチルピロリドン２５カルボキシレート、例えば、Ｎ−置換−ｐ−メンタン−３−カルボキサミド（参考として本明細書に組み込まれる米国特許第４，１３６，１６３号に記載）を含む、Ｎ−置換−ｐメンタン−３−カルボキサミドが挙げられる。
【００５８】
シクロデキストリン包接錯体に利用できる好適な皮膚鎮静剤には、メントール、樟脳、オイゲノール、ユーカリプトール、サフロール、サリチル酸メチル、及び前述のメントール類似物が挙げられる。任意の好適なシクロデキストリンは、αシクロデキストリン、β−シクロデキストリン、γ−シクロデキストリン、並びにヒドロキシプロピル−β−シクロデキストリン、メチル−β−シクロデキストリン、及びアセチル−βシクロデキストリン等の修飾シクロデキストリンを含む包接錯体を形成するために利用されてもよい。好ましいシクロデキストリンは、β−シクロデキストリン及びγ−シクロデキストリンである。
【００５９】
マトリックス材料がシクロデキストリン包接錯体を含むとき、マトリックス材料は、最大約１０重量％、好ましくは約２重量％〜約７重量％の置換剤も有利に含んでよく、これは水と接触すると包接錯体から皮膚鎮静剤を変位させ、それによって使用中に皮膚係合部材から皮膚鎮静剤の放出を促進する。置換剤は、皮膚鎮静剤で形成された錯体よりも、シクロデキストリンを含むより安定した錯体の形成を可能にする材料であるので、皮膚係合部材が水と接触するとき錯体から皮膚鎮静剤を変位させる。好適な置換剤には、界面活性剤、安息香酸、及び特定のアミン（例えば、尿素）が挙げられる。前述の冷感剤、シクロデキストリン包接錯体、及び置換剤に関する更なる詳細は、米国特許第５，６５３，９７１号及び同第５，７１３，１３１号に見出され得る。
【００６０】
当業者は、「任意の冷感剤」の項に記載された１つ以上の冷感剤は、ナノ粒子及び／又はマイクロ粒子のいずれかの中に封入された形状の冷感剤としても使用され得ることを理解するであろう。マトリックス材料は更に、未封入状態の１つ以上の他のスキンケア有効成分を含んでよい。好適な他のスキンケア有効成分の非限定的な例は、本明細書を通して開示されたものを含む。
【００６１】
ＩＩＩ．封入状有効成分
いくつかの実施形態では、本発明の皮膚係合部材は、少なくとも１つの封入状有効成分を更に含む。封入状有効成分は、（例えば）熱的弾性感覚剤、追加の感覚剤、芳香剤又は他のスキンケア有効成分又は組成物であってもよい。いくつかの実施形態では、かかる少なくとも１つの封入状有効成分の濃度（カプセル及び封入状有効成分の重量を含む）は、かかる皮膚係合部材の約０．０１重量％〜約５０重量％、あるいは約１０重量％〜４５重量％、あるいは約１５重量％〜約３５重量％である。封入状有効成分は、同一の成分又は異なる成分を含有することができる。また、封入状有効成分は、成分の混合物を含むこともできる。
【００６２】
封入技術の非限定的な例は、米国特許第７，１１５，２８２号に記載されたナノ及びマイクロ粒子であってもよい。本発明のナノ粒子は本来疎水性である。いくつかの実施例では、ナノ粒子は、０．０１ミクロン〜約１０ミクロン、又は約０．０５ミクロン〜約５ミクロン、又は約０．１ミクロン〜約２ミクロンの範囲の平均直径を有する。任意の個々の粒子のこの線寸法は、粒子表面上の２点を結んだ最長の直線の長さを表す。いくつかの実施形態では、一部のナノ粒子が１つ以上の関水性マイクロ粒子内に封入される。いくつかの実施形態では、皮膚係合部材に存在する大部分のナノ粒子が、かかる関水性マイクロ粒子内に封入される。マイクロ粒子は、約２．０ミクロン〜約１００ミクロン、又は約２０ミクロン〜約１００ミクロンの平均粒径を有する。
【００６３】
本発明の感覚剤は、純成分として（組成物内への直接添加として）、封入状態で、若しくはコーティング又は別の層で含まれてもよい。いくつかの実施形態では、１つ以上の熱的弾性感覚剤は、未封入状態及び封入状態の両方で存在することができる。いくつかの実施形態では、熱的弾性感覚剤の１つは、未封入状態であってよく、他の感覚剤又は熱的弾性感覚剤は、封入状態であってよい。例えば、いくつかの実施形態では、Ｎ−置換メンタンカルボキサミドは、未封入状態であってよく、メンタンカルボン酸−Ｎ−（４−メトキシフェニル）−アミドは、カプセル内にあってよい。他の実施形態では、Ｎ−置換メンタンカルボキサミドは、封入状態であってよく、メンタンカルボン酸−Ｎ−（４−メトキシフェニル）−アミドは、未封入状態であってよい。更に、他の実施形態では、追加の感覚剤又は追加の冷感剤（本明細書に開示されているもの等）は、本発明の熱的弾性感覚剤の１つ又は両方と共に未封入状態の中に存在してもよい。例えば、上記熱的弾性感覚剤のいずれも、全て未封入の生成物として、若しくはカプセル内の１つ以上の冷感剤又は感覚剤として、Ｌメントール、メンチルラクテート、又は他の任意の一般的に使用される冷感剤と共に使用されてもよい。
【００６４】
いくつかの実施形態では、封入状有効成分中の有効成分又は複数の有効成分の濃度は、ナノ粒子の約２０重量％〜約９０重量％、好ましくは約３０重量％〜約７５重量％の範囲である。いくつかの実施形態では、封入状有効成分内の有効成分又は複数の有効成分の濃度は、マイクロ粒子の約１０重量％〜約６０重量％、又は約３０重量％〜約５０重量％の範囲である。最低１０重量％、最低５重量％、又は最低１重量％等、より少ない濃度の封入状有効成分を使用することもできる。
【００６５】
いくつかの実施形態では、封入状有効成分は、１つ以上の冷感剤、例えばＬ−メントール＋メンチルラクテート（Ｆｒｅｓｃｏｌａｔ  ＭＬ）、Ｌ−メントール＋メントングリセリンアセタール（Ｆｒｅｓｃｏｌａｔ  ＭＧＡ）、又はＬ−メントール＋Ｃｏｏｌａｃｔ  １０、又はペパーミント油を含む。更に別の実施形態では、封入状有効成分は、少なくとも１つの冷感剤及び芳香剤、鉱物油、又はこれらの組み合わせを含む。別の実施形態では、冷感剤は、国際公開第２００７１１５５９３号に記載されるようなメントール及びメンチルラクテートの混合物（Ｆｒｅｓｏｃｏｌａｔ  Ｐｌｕｓとして市販）、又は、米国特許第６，８９７，１９５号に記載されるような１：４〜４：１の範囲の重量比のメントールとメンチルラクテートとの共融混合物を含む。
【００６６】
ＩＶ．追加のスキンケア有効成分
局所適用に一般的に使用される様々なスキンケア有効成分（「複数の活性剤」）は、未封入の生成物として及び／又は封入状態で、皮膚係合部材の中に含まれてもよい。
【００６７】
好適な冷感剤の非限定例としては、Ｌ−メントール、ｐ−メンタン−３，８−ジオール、イソプレゴール、メントキシプロパン−１，２，−ジオール、クルクミン、メンチルラクテート（ＳｙｍｒｉｓｅのＦｒｅｓｃｏｌａｔ  ＭＬ等）、ジンゲロール、イシリン、茶木油、メチルサリシレート、樟脳、ペパーミントオイル、Ｎ−エチル−ｐ−メンタン−３−カルボキサミド、エチル３−（ｐ−メンタン−３−カルボキサミド）アセテート、２−イソプロピル−Ｎ，２，３−トリメチルブチルアミド、メントングリセロールケタール、メントングリセリン（Glyerine）アセタール、Ｃｏｏｌａｃｔ  １０、及びこれらの混合物が挙げられる。これら及びその他の冷感剤は既知であり、米国特許出願公開第２００８／０３００３１４Ａ１号、米国特許第５，４５１，４０４号、及び同第７，４８２，３７３号等様々な公表文献に記載されている。更に別の実施形態では、冷感剤は、様々な剃毛補助剤での使用について前述した１つ以上の冷感剤を含む。例えば、米国特許第５，０９５，６１９号、同第５，７１３，１３１号、同第５，０９５，６１９号、同第５，６５３，９７１号、同第６，２９８，５５８号、同第６，９４４，９５２号、及び同第６，２９５，７３３号を参照のこと。
【００６８】
化粧品及び皮膚科的な使用に好適なその他の有効成分を本明細書で使用してよい。好適な有効成分の非限定的な例には、ビス−アボロール及びジンジャー抽出物、Ｏｌｉｖｅｍ  ４５０（登録商標）及びＯｌｉｖｅｍ  ４６０（登録商標）等のオリーブ油、ラウリルｐ−クレゾールケトキシム、４−（１−フェニルエチル）１，３−ベンゼンジオール、Ｌｕｐｉｎ（Ｌｕｐｉｎｕｓ  ａｌｂｕｓ）油＆小麦胚芽油鹸化物、加水分解ルピナスタンパク質、Ｌ−リジン及びＬ−アルギニンペプチドの抽出物、油溶性ビタミンＣ、Ｅｖｏｄｉａ  ｒｕｔａｅｃａｒｐａフルーツ抽出物、亜鉛ピドレート及び亜鉛ＰＣＡ、アルファ−リノール酸、ｐ−チモール、及びこれらの組み合わせ、シュガーアミンからなる群から選択される少なくとも１つの追加の皮膚及び／又は毛髪ケア有効成分、ビタミンＢ３、レチノイド、ヒドロキノン、ペプチド、ファルネソル、フィトステロール、ジアルカノイルヒドロキシプロリン、ヘキサミジン、サリシル酸、Ｎ−アシルアミノ酸化合物、日焼け止め有効成分、水溶性ビタミン、油溶性ビタミン、ヘスペレジン、からし種子抽出物、グリチルリチン酸、グリチルレチン酸、カルノシン、ブチル化ヒドロキシトルエン（ＢＨＴ）及びブチル化ヒドロキシアニソール（ＢＨＡ）、メンチルアントラニレート、セチルピリジニウムクロリド、テトラヒドロクルミン、バニリン又はその誘導体、エルゴチオネイン、メラノスタチン、ステロールエステル、イデベノン、デヒドロ酢酸、Ｌｉｃｏｈａｌｃｏｎｅ  Ａ、クレアチン、クレアチニン、フィーバーフュー抽出物、イースト抽出物（例えば、Ｐｉｔｅｒａ（登録商標））、ベータグルカン、アルファグルカン、ジエチルヘキシルシリンギリデンマロネート、エリスリトール、ｐ−サイメン−７−オル、ベンジルフェニルアセテート、４−（４−メトキシフェニル）ブタン−２−オン、エトキシキン、タンニン酸、没食子酸、オクタデセンジオン酸、ｐ−サイメン−５−オル、メチルスルホニルメタン、アベナンスラマイド化合物、脂肪酸（特に、多不飽和脂肪酸）、抗菌剤、チオール化合物（例えば、Ｎ−アセチルシステイン、グルタチオン、チオグリコレート）、他のビタミン（ビタミンＢ  １２）、ベータ−カロテン、ユビキノン、アミノ酸、その塩、その誘導体、その前駆体、及び／又はこれらの組み合わせからなる群から選択される少なくとも１つの追加の皮膚及び／又はヘアケア活性剤；及び皮膚病学的に許容し得るキャリアの１つ以上が挙げられる。これら及び他の潜在的に好適な有効成分は、米国特許公開第２００８／００６９７８４号により詳細に記述されている。
【００６９】
使用できる追加の有効成分としては、商標名Ｓｉｇｎａｌｉｎｅ  Ｓ，Ｊｏｊｏｂａ  Ｏｉｌ，Ｃｅｒａｍｉｄｏｎｅ，Ｎｅｔ  ＤＧ，Ｐａｌ−ＧＨＫ（Ｐａｌｔｅｎｅｘ），Ｒｈｏｄｙｓｔｅｒｏｌ，Ｖｉｔａｌ  ＥＴで市販されるもの、及びこれらの組み合わせが挙げられる。
【００７０】
別の実施形態では、有効成分はメチルナフタレニルケトンであってよい。メチルナフタレニルケトンは、１−（１，２，３，４，５，６，７，８−オクタヒドロ−２，３，８，８−テトラメチル−２ナフタレニル）−エタン−１−オン分子若しくはその異性体又は誘導体であり得る。Ｎｅｗ  ＹｏｒｋのＩＦＦからＩｓｏ−Ｅ−Ｓｕｐｅｒとして市販されている。冷涼メントール受容体といわれているＴＲＰＭ８受容体の上方調整能を有するものを含む、その他の感覚剤も使用してよい。好適なＴＲＰＭ８調節剤の非限定的な例には、ｐ−メンタン−３，８−ジオール、イソプレゴール、メトキシプロパン−１，２，−ジオール、クルクミン、メンチルラクテート、ジンゲロール、イシリン、メントール、茶木油、チルサリシレート、樟脳、ペパーミント油、Ｎ−エチル−ｐ−メンタン−３−カルボキサミド、エチル３−（ｐ−メンタン−３−カルボキサミド）アセテート、２−イソプロピル−Ｎ，２，３−トリメチルブチルアミド、メントングリセロールケタール、およびその混合物が挙げられる。
【００７１】
有効成分は、局所使用に好適な１つ以上のスキンケア有効成分であってもよい。「Ｔｈｅ  ＣＴＦＡ  Ｃｏｓｍｅｔｉｃ  Ｉｎｇｒｅｄｉｅｎｔ  Ｈａｎｄｂｏｏｋ，Ｓｅｃｏｎｄ  Ｅｄｉｔｉｏｎ（１９９２）」には、スキンケアに関連する業界で一般に使用される広く様々で非限定的な化粧品及び医薬品の成分が記載されており、それらは本発明の組成物への使用に好適である。これらの成分の種類の例としては、研磨剤；吸着剤；芳香剤、顔料、着色剤／染料、精油、皮膚感覚剤、収斂剤等の美的成分（例えば、丁子油、樟脳、ユーカリ油、オイゲノール、マンサク留出物）、抗ニキビ剤、固化防止剤、消泡剤、抗菌剤（例えば、ヨードプロピルブチルカーバメート）、酸化防止剤、結合剤、生物学的添加物、緩衝剤、充填剤、キレート化剤、化学添加物、染料、化粧用収斂剤、化粧用殺生物剤、変性剤、薬用収斂剤、外用鎮痛剤、脂肪アルコール及び脂肪酸、被膜形成剤又は材料、例えば、組成物の被膜形成特性及び持続性を支援するためのポリマー（例えば、エイコセン及びビニルピロリドンのコポリマー）、不透明化剤、ｐＨ調整剤、噴射剤、還元剤、隔離剤、皮膚漂白及び美白剤、皮膚コンディショニング剤、皮膚鎮静剤及び／又は皮膚回復剤及び誘導体、皮膚治療剤、増粘剤、並びにビタミン及びその誘導体が挙げられる。追加の好適な皮膚処置有効成分の追加の非限定的な例は、米国特許第２００３／００８２２１９号Ｉ項（すなわち、ヘキサミジン、酸化亜鉛、及びニアシナミド）；同第５，６６５，３３９号Ｄ項（すなわち、冷感剤、皮膚コンディションニング剤、日焼け防止剤及び顔料、並びに薬剤）；及び同第２００５／００１９３５６号（すなわち、落屑有効成分、抗にきび有効成分、キレート剤、フラボノイド、並びに抗菌及び抗かび有効成分）に含まれる。しかしながら、多くの材料は１つ以上の効果をもたらすことがあること、又は１つ以上の作用様式を介して機能し得ることに留意すべきである。従って、本明細書の分類は便宜上実施されたものであって、有効成分を、列挙した特定の１つ又は複数の用途に制限しようとするものではない。
【００７２】
Ｖ．除毛ヘッド
発明のいくつかの実施形態によると、除毛装置は、通常除毛ヘッド並びに柄又はグリップ部分を含み、除毛ヘッドが装着されているところに設けられている。除毛装置は、手動又は電動であってよく、湿式及び／又は乾燥用途で用いてよい。除毛装置は、脱毛剤と共に使用される除毛装置等の幅広い掻き取り表面を含んでもよく、又は装置が剃毛かみそりの場合、かみそりカートリッジであってよい。除毛ヘッドは、取り替え可能及び／又は駆動可能にカートリッジ連結構造体へ、そして順番に又は独立して（例えば、完全に固定して）柄に接続される。いくつかの実施形態では、カートリッジ連結構造体は、除毛ヘッドを解除可能に係合するために少なくとも１つのアームを含む。
【００７３】
除毛ヘッドは、一般的に第１の末端部と第２の末端部との間に位置する１つ以上の伸長縁部（ブレード）を含み、かかる１つ以上の伸長縁部は、かかる第１の末端部に向かって延びる先端部を含む。除毛ヘッドがかみそりカートリッジの場合、１つ以上の伸長縁部はブレードを含んでもよい。例えば、米国特許第７，１６８，１７３号は、Ｇｉｌｌｅｔｔｅ  Ｃｏｍｐａｎｙから市販されており、複数のブレードを伴うかみそりカートリッジを含む、Ｆｕｓｉｏｎ（登録商標）かみそりを概略的に記載する。加えて、かみそりカートリッジは、ガード及び皮膚係合部材を含んでもよい。様々なかみそりカートリッジが本発明に従って使用可能である。フィン、ガード及び／又は剃毛補助具を備える、及びこれらを備えない好適なかみそりカートリッジの非限定的な例としては、Ｆｕｓｉｏｎ（登録商標）、Ｖｅｎｕｓ（登録商標）の製品ラインでＧｉｌｌｅｔｔｅ  Ｃｏｍｐａｎｙによって販売されるもの、及び米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。当業者は、本皮膚係合部材を、２枚、３枚、４枚若しくは５枚のブレードを有するものを含む、任意の現在販売されているシステム又は使い捨てかみそりと共に使用することができることを理解するだろう。このような場合、除毛装置はかみそりであり、除毛ヘッドはかみそりカートリッジであり、かつ１つ以上の伸長縁部はブレードである。他の実施形態では、除毛装置は、除毛組成物、すなわち脱毛剤と共に使用するための掻き取り具である。
【００７４】
いくつかの実施形態では、かかる少なくとも１つの皮膚係合部材は、除毛工程中に皮膚と接触するカートリッジの部分上で、ブレード前方及び／又は後方に位置する。１つ以上の伸長縁部の「前方」にある機構は、例えば、除毛装置で処理される表面が伸長縁部と接触する前にその機構に接触するように配置される。伸長縁部の「後方」にある機構は、除毛装置で処理される表面が伸長縁部と接触した後にその機構に接触するように配置される。１つ以上の皮膚係合部材が除毛装置上で提供される場合、皮膚係合部材は、物理的な形／構造及び／又は化学組成の点において同じ（同一）又は異なってよく、１つ以上の皮膚係合部材は、感覚剤を含んでもよい。
【００７５】
いくつかの実施形態では、複数（例えば、２、最初及び２番目）の皮膚係合部材は、式Ａ又は好ましくは式Ｂによるメンタンカルボン酸−Ｎ−（４−メトキシフェニル）−アミドを含む第１の皮膚係合部材並びに式Ｉ又は好ましくは式ＩＩによる（より更に好ましくは大１の皮膚係合部材の式Ｂを伴う）Ｎ−置換メンタンカルボキサミドを含む第２の皮膚係合部材と共に、除毛ヘッド上に提供されてもよい。これらの皮膚係合部材は、伸長縁部（例えば、かみそりカートリッジのブレード）の前方又は後方で集合的に（例えばお互いに隣接して）位置してもよく、伸長縁部及び他の後方と並行、又は独立したものを含む。
【００７６】
いくつかの実施形態では、カートリッジは、ユーザーの皮膚を係合するための少なくとも１つの伸長した可撓性突出部を備えるガードを含む。少なくとも１つの可撓性突出部は、かかる１つ以上の伸長縁部に対して通常平行の可撓性フィンを含んでもよい。かかる少なくとも１つの可撓性突出部は、かかる１つ以上の伸長縁部に対して通常平行ではない少なくとも１つの部分を含む可撓性フィンを、追加的に又は二者択一的に含んでもよい。好適なガードの非限定的な例としては、現在のかみそりのブレードに使用されるものが挙げられ、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５（Ａ１）号（上面と下面との間に延在する少なくとも１つの通路を形成するガードを有するエラストマー性ガードを開示）に開示されるものが挙げられる。いくつかの実施形態では、かかる皮膚係合部材は、カートリッジ上でガードの後方及びかかる伸長縁部の前方に位置する。他の実施形態では、皮膚係合部材は、カートリッジ上のガードの前方に位置する。この実施形態は、ガードと接触する前に皮膚係合部材を提供するのに特に有用であり得る。
【００７７】
ＶＩ．製造方法
本発明の皮膚係合部材は、射出成形、押型成型、含浸処理、スプレーコーティング、カレンダー加工及び押出成形、又はそそのようなステップの組み合わせを含む、任意の適切な方法によって作成されてもよい。熱的弾性感覚剤を含むストリップの組成物の全ては、成形又は押出成形の前に配合されてもよい。最良の結果として、構成成分は乾燥していることが好ましい。
【００７８】
配合された組成物は、約６．８９〜１３．８ＭＰａ（１０００〜２０００ｐｓｉ）のバレル圧、約１０〜５０ｒｐｍのローター速度、並びに約１５０℃〜１８５℃の温度及び約１７０℃〜１８５℃のダイ温度を伴う、直径１．９センチメートル（３／４インチ）の押出成形機、Ｈａａｋｅシステム９０、を通して押出成形されてもよい。あるいは、３．２センチメートルの（１  １／４インチ）一軸式押出成形機は、１７５℃〜２００℃、好ましくは１８５℃〜１９０℃の工程温度、２０〜５０ｒｐｍ、好ましくは２５〜３５ｒｐｍのスクリュー速度、及び１８００〜５０００ｐｓｉ、好ましくは１３．８〜２４．１ＭＰａ（２０００〜３５００ｐｓｉ）の押出圧力で採用されてもよい。押出成形されたストリップは、約２５℃まで空冷される。ストリップを射出成形するために、ペレットの中へ粉末配合物を最初に押出成形することが好ましい。これは、３．２又は３．８センチメートル（１  １／４又は１  １／２インチ）の１軸式押出成形機において、温度１２０℃〜１８０℃、好ましくは１４０℃〜１５０℃で、２０〜１００ｒｐｍ、好ましくは４５〜７０ｒｐｍのスクリュー速度で実施することができる。次に、ペレットは、任意追加的にホットランナーシステムを備えた単一空洞又は多空洞であってよい、単一材料成形又は多材料成形機のいずれかで成形される。工程温度は、１６５℃〜２５０℃、好ましくは１８０℃〜２２５℃であってよい。射出圧は、溢れ出すことなく完全に部を満たすのに十分であるべきである。空洞の大きさ、形状、及び数に応じて、射出圧は、２．０７〜１７．２４ＭＰａ（３００〜２５００ｐｓｉ）の範囲であってよい。サイクル時間は、同じパラメータに依存し、３〜３０秒、最適には通常約６〜１５秒の範囲であってよい。
【００７９】
ＶＩＩ．図の詳細
図１及び図２を参照して、かみそりカートリッジ（除毛ヘッドの例）１４は、ハウジング１６を含み、これは３つのブレード１８、フィン付きエラストマーガード２０、及びカートリッジの皮膚係合部分（この場合はキャップ）上に配置された皮膚係合部材２２と、を含む。皮膚係合部材２２は２層を有するように表示され、第１の層はマトリックス及び本発明の封入状有効成分であってよく、第２の層は、従来の剃毛補助剤、又はその逆であってよい。皮膚係合部材は、カートリッジ後部の開口部の中に（接着剤、嵌合具、又は溶融結合により）好ましくは固定される。図３に示す皮膚係合部材３２は、皮膚係合部材３２が全体的に均質な組成物及び均一でわずかに湾曲した平坦上面を有すること以外は、皮膚係合部材２２と同様である。この種の皮膚係合部材も、楔形状断面又は他の任意の所望する形状で作成してもよい。皮膚係合部材は、サンドイッチ又はシース／コア構成体等、２つ以上の層で構成されてもよい。
【００８０】
本発明は、ユーザーの皮膚上へ、本発明の少なくとも１つの実施形態に従って皮膚係合剃毛補助部材を塗布することによって、冷涼感、刺痛感、清涼感、ないしは別の方法で局所に顕著な感覚又は知覚をユーザーに提供するための皮膚係合剃毛補助部材の使用方法も含んでよい。これは、剃毛の工程又は方法の一部として行われてもよい。
【実施例】
【００８１】
実施例１〜４は、後述の方法と共に以下の表に従って作製されてもよく、成分は、タンブラー内で他の成分と共に配合及び混合され、これは均質な粉末を作製する。次に、得られた粉末は、１６０℃〜１８０℃及び１０〜２０ＭＰａ（１００〜２００バール）の圧力で、潤滑ストリップ内に単一押出成形される。
【００８２】
【表２】
0005997387.tif 000007
【００８３】
【表３】
0005997387.tif 000008
【００８４】
実施例３及び４は、１週間に最低４回剃毛し、冷涼感に敏感な１０人の男性剃毛者によって作製及び実験され、これは彼らが、冷涼潤滑ストリップ付きかみそり製品及びこれに対して非冷涼潤滑ストリップ付きかみそり製品で剃毛することにより事前に審査されたことを意味し、半顔実験計画書を使用し、彼らが冷涼感覚を知覚できたことを示し、このようにして２つのかみそり製品を識別する。それぞれの被験者は、潤滑ストリップのみが異なる３つのかみそり製品で剃毛した。冷涼感度の検出における剃毛準備の変動効果を最小限にするため、缶のＧｉｌｌｅｔｔｅ  Ｓｅｒｉｅｓ  Ｓｅｎｓｉｔｉｖｅ  Ｓｋｉｎ  Ｓｈａｖｅ  Ｇｅｌがそれぞれの剃毛に使用された。それぞれの被験者の剃毛環境は、全体の剃毛実験を通してできる限り近づけられ、例えば、かみそりにおける唯一の変動は潤滑ストリップであり、全ての実験に同じ剃毛準備（Ｇｉｌｌｅｔｔｅ  Ｓｅｒｉｅｓ  Ｓｅｎｓｉｔｉｖｅ  Ｓｋｉｎ  Ｓｈａｖｅ  Ｇｅｌ）が使用された。製品の剃毛順序は、製品干渉の可能性を打ち消すために無作為化された。それぞれのかみそり製品は、５回の通常剃毛に使用された。１０人の剃毛者は、剃毛中及び後に知覚した冷涼感を０〜１０段階で（０は冷涼感覚の知覚なしを示す）採点した。これらの採点は平均され、結果は以下の表の通りである：
【００８５】
【表４】
0005997387.tif 000009
【００８６】
結果は、冷感剤が押出プロセスに耐え、剃毛中及び後の両方で剃毛者に顕著な冷涼効果を提供できることを示す。重要なことに、これらの被験者で、剃毛中に比べて剃毛後の冷涼強度の増加が示された。かかる剃毛補助剤中の一般的な多くの他の追加の冷感剤は、多くのユーザーに対して意味ある顕著な効果を提供できないと元来考えられていたため、これは驚きであり意外であった。
【００８７】
５％メントールを含有する以下の比較例は、上記の方法を用いて作製され、並びに１週間に最低４回剃毛し、上記の通り冷涼感に敏感な４人の男性剃毛者によって実験された。剃毛者は、いかなる冷涼効果も検出することができなかったと報告した。
【００８８】
【表５】
0005997387.tif 000010
【００８９】
本明細書の全体を通じて与えられる全ての最大の数値限定は、それよりも小さい全ての数値限定を、そうしたより小さい数値限定が恰も明確に本明細書に記載されているものと同様にして包含するものと理解すべきである。本明細書の全体を通じて与えられる全ての最小の数値限定は、それよりも大きい全ての数値限定を、そうしたより大きい数値限定が恰も本明細書に明確に記載されているものと同様にして包含するものである。本明細書の全体を通じて与えられる全ての数値範囲は、そうしたより広い数値範囲に含まれる全てのより狭い数値範囲を、そうしたより狭い数値範囲の全てが恰も本明細書に明確に記載されているものと同様にして包含するものである。同様に、発明の各特定の実施形態のそれぞれの特徴は、各他の特定の実施形態に、全てのそのような組み合わせが恰も本明細書に明確に記載されているものと同様に独立して適応されてもよいが、これらの組み合わせが明確に除外されている又は関連する特徴が本質的に不適合である（例えば、特徴が正反対である）場合を除く、と理解されるべきである。
【００９０】
特に指定のない限り、本明細書の明細、実施例、及び請求の範囲における全ての部、比、及び百分率は、重量基準であり、全ての数値限定は、当該分野により提供される通常の程度の精度で使用される。
【００９１】
本明細書に開示した寸法及び値は、記載された正確な数値に厳密に限定されるものと理解されるべきではない。むしろ、特に指定のないかぎり、それぞれのかかる寸法は、記載された値及びその値の周辺の機能的に同等の範囲の両方を意味するものとする。例えば、「４０ｍｍ」として開示された寸法は、「約４０ｍｍ」を意味することを意図する。
【００９２】
「発明を実施するための形態」において引用する全ての文献は、その関連部分において参照として本明細書に組み込まれるものであるが、いずれの文献の引用も、こうした引用が本発明の先行技術であることを容認するものとして解釈すべきではない。この文書における用語のいずれかの意味又は定義が、参照によって組み込まれる文書におけるいずれかの意味又は定義と対立する限りにおいて、本文書においてその用語に与えられた意味又は定義を優先するものとする。特に指定のない限り、前置詞の「ａ」、「ａｎ」、及び「ｔｈｅ」は「１つ以上」を意味する。
【００９３】
本発明の特定の実施形態が図示され記載されてきたが、本発明の趣旨及び範囲から逸脱することなく他の様々な変更及び修正を実施できることが、当業者には自明であろう。従って、本発明の範囲内にあるそのような全ての変更及び修正を添付の特許請求の範囲で扱うものとする。
【図１】
0005997387.tif 000016
【図２】
0005997387.tif 000017
【図３】
0005997387.tif 000018